(57)【要約】【課題】カバープレートの角部がストラッププレートに食い込むことを防止する。【解決手段】カバープレート１２のストラッププレート１０側の角部の少なくともいずれかが面取りされている。【選択図】図３
2011064312.tif 000002
【特許請求の範囲】
【請求項１】
下部が溶接によって固定される帯板状のストラッププレートと、該ストラッププレートの上部において当該ストラッププレートの表面から突出して設けられるストッパプレートと、貯留槽に固定されると共に前記ストッパプレートの下方において前記ストラッププレートを覆うカバープレートとを備えるアンカーであって、
前記カバープレートの前記ストラッププレート側の角部の少なくともいずれかが面取りされていることを特徴とするアンカー。
【請求項２】
前記角部を切り取る傾斜面が形成されることによって前記角部が面取りされていることを特徴とする請求項１記載のアンカー。
【請求項３】
前記角部を切り取る曲面が形成されることによって前記角部が面取りされていることを特徴とする請求項１または２記載のアンカー。
【請求項４】
前記貯留槽の周方向に延在する角部が面取りされていることを特徴とする請求項１〜３いずれかに記載のアンカー。
【発明の詳細な説明】
【技術分野】
【０００１】
本発明は、アンカーに関する。
【背景技術】
【０００２】
従来、例えば、液化天然ガス（ＬＮＧ）等の液体を貯蔵するタンクは、コンクリート製の外槽と、その外槽内に設けられる鋼製の内槽とからなる二重殻タンクで構成されている。
そして、このようなタンクでは、地震や内圧により内槽が浮き上がることを防止するためのアンカーが設置されている。
【０００３】
このようなアンカーとしては、例えば特許文献１に示すように、内槽の温度変化による
熱収縮に起因した半径方向の変形を許容しながら、浮き上がりを防止するものが提案されている。
より詳細には、このアンカーは、帯板状のストラッププレートと、ストラッププレートの上部において当該ストラッププレートの表面から突出するように取り付けられるストッパプレートと、内槽に固定されると共にストッパプレートの下方においてストラッププレートを覆うカバープレートとを備えている。
そして、ストラッププレートは、下部がアンカーボックスやセカンダリーバリアに溶接されて固定されるが、上部は内槽に対して溶接されずに移動が自由な状態とされている。これによって、内槽が半径方向に変形した場合にストラッププレートから内槽に無理な荷重が作用することを防止でき、内槽の半径方向の変形を許容することができる。
一方、内槽が浮き上がろうとした場合には、内槽の移動と共にカバープレートが上方に移動しようとするが、このカバープレートがストラッププレートの表面から突出するストッパプレートに当接することによってカバープレートの移動が抑えられ、さらには内槽の浮き上がりが防止される。
【０００４】
また、ストッパプレートの上端面とカバープレートの下端面とは、摺動可能とされている。これによって地震等により内槽が周方向に移動した際に、カバープレートがストッパプレートに対して周方向に摺動し、ストラッププレートの溶接部に作用する剪断応力を低減することができる。
【先行技術文献】
【特許文献】
【０００５】
【特許文献１】特開２００３−２６９６９８号公報
【発明の概要】
【発明が解決しようとする課題】
【０００６】
ところで、上述のようなアンカーは、内槽の建設後あるいは建設過程において取り付けられるものである。そして、内槽自体がタンカーの設置される現場において建設されるため、アンカーも当然のことながら現場において取り付けられることとなる。
このため、特許文献１に示されるようなアンカーを取り付ける場合には、現場においてストラッププレートをアンカーボックスやセカンダリーバリアに溶接し、カバープレートを内槽に溶接することとなる。
【０００７】
しかしながら、現場での溶接作業を行う必要があることから、カバープレートとストラッププレートとの位置関係を精度良く設置することは極めて困難である。
そして、カバープレートとストラッププレートとの位置関係を精度良く設置できない場合には、カバープレートの角部がストラッププレートに当たることとなり、この状態でカバープレートとストラッププレートとが摺動しようとすると、カバープレートの角部がストラッププレートに食い込み、カバープレートとストラッププレートとの滑らかな摺動が阻害される。
この結果、ストラッププレートの溶接部に作用する剪断応力が大きくなり、溶接部が損傷する虞がある。
【０００８】
本発明は、上述する問題点に鑑みてなされたもので、アンカーにおいて、カバープレートの角部がストラッププレートに食い込むことを防止することを目的とする。
【課題を解決するための手段】
【０００９】
本発明は、上記課題を解決するための手段として、以下の構成を採用する。
【００１０】
第１の発明は、下部が溶接によって固定される帯板状のストラッププレートと、該ストラッププレートの上部において当該ストラッププレートの表面から突出して設けられるストッパプレートと、貯留槽に固定されると共に上記ストッパプレートの下方において上記ストラッププレートを覆うカバープレートとを備えるアンカーであって、上記カバープレートの上記ストラッププレート側の角部の少なくともいずれかが面取りされているという構成を採用する。
【００１１】
第２の発明は、上記第１の発明において、上記角部を切り取る傾斜面が形成されることによって上記角部が面取りされているという構成を採用する。
【００１２】
第３の発明は、上記第１または第２の発明において、上記角部を切り取る曲面が形成されることによって上記角部が面取りされているという構成を採用する。
【００１３】
第４の発明は、上記第１〜第３いずれかの発明において、上記貯留槽の周方向に延在する角部が面取りされているという構成を採用する。
【発明の効果】
【００１４】
本発明によれば、カバープレートのストラッププレート側の角部が面取りされている。このため、カバープレートの角部がストラッププレートに食い込むことを防止することが可能となる。
よって、本発明によれば、貯留槽が周方向に移動した場合であっても、ストラッププレートの溶接部に作用する剪断応力を低減させることが可能となる。
【図面の簡単な説明】
【００１５】
【図１】本発明の一実施形態に係るアンカーを適用したＬＮＧ用地上タンクの断面図であって、（ａ）がセカンダリーバリアを有しないＬＮＧ用地上タンクの断面図、（ｂ）がセカンダリーバリアを有するＬＮＧ用地上タンクの断面図である。
【図２】（ａ）が図１（ａ）のアンカーを矢印Ｙ方向から見たときの正面図、（ｂ）が図２（ａ）のＸ−Ｘ線断面図である。
【図３】図２（ｂ）の一部拡大図である。
【図４】本発明の他の実施形態に係るアンカーの一部拡大図である。
【図５】本発明のさらに他の実施形態に係るアンカーの一部拡大図である。
【図６】本発明のさらに他の実施形態に係るアンカーの一部拡大図である。
【発明を実施するための形態】
【００１６】
以下、図面を参照して、本発明に係るアンカーの一実施形態について説明する。なお、以下の図面において、各部材を認識可能な大きさとするために、各部材の縮尺を適宜変更する。
【００１７】
図１は、本実施形態のアンカーを適用したタンクの断面図であり、（ａ）がセカンダリーバリアを備えないタンクの断面図であり、（ｂ）がセカンダリーバリアを備えるタンクの断面図である。
【００１８】
図１（ａ）に示すタンクＴ１は、液化天然ガス（ＬＮＧ）を貯留する大型の地上タンクであり、ＰＣ工法で施工された外槽Ｔａと、本実施形態のアンカーＡが取り付けられる内槽Ｔｂ（貯留槽）とからなる二重殻タンクで構成されている。
なお、図１（ａ）において、外槽Ｔａと内槽Ｔｂとの間の空間には、図示しないが、フォームグラス等の保冷材（断熱材）が充填されている。
【００１９】
タンクＴ１の基礎に当るとともに、外槽Ｔａの底面に当るスラブ１は、地盤に打ち込まれた図示しない複数の基礎杭の杭頭に接合されている。そして、このスラブ１上には保冷ブロック２が設けられ、その保冷ブロック２上に、９％ニッケル鋼やステンレス鋼等の低温用鋼材からなる平底円筒状の内槽Ｔｂが載置されている。
【００２０】
図１（ｂ）に示すタンクＴ２は、上述のタンクＴ１と同様に、ＬＮＧの液体を貯留する大型の地上タンクであり、外槽Ｔａと内槽Ｔｂとの間に、内槽Ｔｂの材質と同様の９％ニッケル鋼やステンレス鋼等の低温用鋼材からなる上端開口の平底円筒状のセカンダリーバリア３が設けられている。
このように、外槽Ｔａと内槽Ｔｂとの間にもう一つの貯留槽に当るセカンダリーバリア３が設けられたときは、何らかの原因で内槽ＴｂからＬＮＧの液体が漏洩したときに、その漏洩した液体を受け止めることができので、液体が外槽Ｔａ外に漏出するのを防止することができる。
【００２１】
なお、図１（ａ），（ｂ）とも、アンカーＡは２本しか示されていないが、実際は内槽Ｔｂの周方向に所定の間隔で複数本設けられている。その本数は、内槽Ｔｂの大きさにもよるが、タンクＴ１，Ｔ２がＬＮＧ用の大型の地上タンクで、そのタンクＴ１，Ｔ２の外槽Ｔａの直径が１００メートルにも及ぶような場合には１００本を越える。
【００２２】
続いて本実施形態のアンカーＡについて説明する。図２（ａ）は、図１（ａ）を矢印Ｙ方向から見たときのアンカーＡの上部部分の正面図であり、図２（ｂ）が図２（ａ）のＸ−Ｘ線断面図である。なお、図２は、セカンダリーバリアを備えないタンクに設置されるアンカーＡを示すものである。なお、セカンダリーバリアを備えるタンクに設置されるアンカーＡも、途中部位がセカンダリーバリアに溶接される点を除けば、図２に示すアンカーＡとほぼ同様である。
【００２３】
本実施形態のアンカーＡは、ストラッププレート１０と、ストッパプレート１１と、カバープレート１２と、本発明の固定部材に相当する一対のブラケット１３ａ，１３ｂと、一対の座板１４ａ，１４ｂとから構成されている。これら各部材は、内槽Ｔｂの材質と同様の９％ニッケル鋼やステンレス鋼等の低温用鋼材から作られている。
【００２４】
ストラッププレート１０は所定長さの帯板状の部材である。そして、ストラッププレート１０の下端は、ストラッププレート１０が内槽Ｔｂ側に傾くように、スラブ１に設けられたアンカーボックス１ａの底面に溶接により固定されている。また、ストラッププレート１０の上部１０ａは、直立する内槽Ｔｂの外側面と平行になるように屈曲されている。この屈曲されて平行する部分の長さは、ストッパプレート１１の大きさによって決められている。なお、ストラッププレート１０の傾斜される領域（すなわち上部１０ａを除く領域）は、本発明におけるストラッププレートの下部に相当し、以下下部１０ｂと称する。
また、ストラッププレート１０の長さは、内槽Ｔｂに対する取付位置からそのアンカーボックス１ａの底面に達するように決められている。例えば、ストラッププレート１０の長さは、外槽Ｔａの直径が上述したような１００ｍにも及ぶような場合は、２ｍ程度とされる。
【００２５】
なお、ストラッププレート１０は、図１（ｂ）に示されるように、セカンダリーバリア３が設けられているとき、そのセカンダリーバリア３を貫通して設置される。そして、ストラッププレート１０は、液蜜性を保つために、貫通箇所においてセカンダリーバリア３と溶接されている。
つまり、本実施形態のアンカーＡにおいてストラッププレート１０の下部１０ｂは、アンカーボックス１ａの底面、あるいはアンカーボックス１ａの底面及びセカンダリーバリア３に溶接されている。
【００２６】
ストッパプレート１１は、ストラッププレート１０の上部１０ａにおいて、ストラッププレート１０の表面から内槽Ｔｂと反対側に突出して設けられた矩形状のプレートである。このストッパプレート１１は、ストラッププレート１０の長手方向と直交する方向の長さ、すなわち幅はストラッププレート１０の幅と略同じであり、ストラッププレート１０の長手方向側の長さは、ストラッププレート１０の上部１０ａの長さと略同じであり、内槽Ｔｂの外側面と直交する方向の長さ、すなわち厚さは、ストラッププレート１０の上部１０ａが内槽Ｔｂの外側面に当接してもストッパプレート１１の下端面がカバープレート１２の上端面に十分に係止できるように決められている。
また、このストッパプレート１１の下端辺は直線に形成され、その直線が水平を保つようにストラッププレート１０に取り付けられている。
なお、ストッパプレート１１の下端面には、二硫化モリブデン等からなる固体潤滑材皮膜が形成されていて、カバープレート１２の上端面との摩擦力を弱めることができるように工夫されている。
【００２７】
カバープレート１２は、内槽Ｔｂに固定されると共にストッパプレート１１の下方においてストラッププレート１０を覆って配置される長方形状の板材である。このカバープレート１２の長辺方向の長さはストラッププレート１０の幅よりも長くなるように決められている。また、このカバープレート１２の短辺方向の長さ及び板厚は、ストラッププレート１０に生じる張力に十分に耐えられるように設定されている。
【００２８】
そして、このカバープレート１２は、上端面の水平が保たれ、かつ、そのカバープレート１２の上端面とストッパプレート１１の下端面とが当接される。また、カバープレート１２は、ストラッププレート１０側の面が、ストラッププレート１０の面と平行とされ、かつ、当接される。また、カバープレート１２は、両端部がブラケット１３ａ，１３ｂ及び座板１４ａ，１４ｂを用いて内槽Ｔｂの外側面にそれぞれ固定されている。
【００２９】
なお、カバープレート１２の上端面には、図示しないが、二硫化モリブデン等からなる固体潤滑材が塗布されていて、ストッパプレート１１の下端面との摩擦力を弱めることができるように工夫されている。
【００３０】
カバープレート１２のストラッププレート１０側の面の上端側には、図３に示されるように、上端側に行くにしたがってそのストラッププレート１０から離れるように傾斜した上部傾斜面１５ａ（傾斜面）が設けられているとともに、その下端側には、下端側に行くにしたがってそのストラッププレート１０から離れるように傾斜した下部傾斜面１５ｂ（傾斜面）が設けられている。
つまり、本実施形態のアンカーＡにおいては、角部を切り取る上部傾斜面１５ａ及び下部傾斜面１５ｂが形成されることによって、カバープレート１２のストラッププレート１０側の角部（内槽Ｔｂの周方向に延在する角部）が面取りされている。
【００３１】
上記構成からなるアンカーＡを取り付ける場合には、例えば、まずカバープレート１２、ブラケット１３ａ，１３ｂ及び座板１４ａ，１４ｂの組み立てが行なわれる。続いて、カバープレート１２、ブラケット１３ａ，１３ｂ及び座板１４ａ，１４ｂの組立体が内槽Ｔｂの外壁面の所定位置に取り付ける。そして、先に工場においてストッパプレート１１が溶接されたストラッププレート１０をカバープレート１２と内槽Ｔｂとの間に挿入し、ストラッププレート１０の下端部をアンカーボックス１ａに溶接して固定する。
なお、図１（ｂ）のようにタンクがセカンダリーバリア３を有しているときは、ストラッププレート１０がセカンダリーバリア３を貫通する位置が最後に溶接される。
また、先にストラッププレート１０をアンカーボックス１ａに溶接し、その後カバープレート１２、ブラケット１３ａ，１３ｂ及び座板１４ａ，１４ｂの組み立てを行っても良い。
【００３２】
そして、このように構成された本実施形態のアンカーＡでは、カバープレート１２のストラッププレート１０側の角部が面取りされている。
このため、例えば現場での溶接作業の結果、ストラッププレート１０の取付傾斜が本来、図２（ｂ）のθ１でならないところ、θ２で示される角度に取り付けられ、カバープレート１２を取り付けることによって強制的にθ１とされても、カバープレート１２の角部がストラッププレート１０に食い込むことを防止することができる。
【００３３】
したがって、本実施形態のアンカーＡによれば、地震等で内槽Ｔｂが周方向に移動した場合であっても、いわゆる「かじり」が発生しないため、ストラッププレート１０の損傷を防止し、さらにはカバープレート１２とストラッププレート１０の滑らかな摺動を実現してストラッププレート１０の溶接部に作用する剪断応力を低減させることができる。
特に、図１（ｂ）のようにセカンダリーバリア３を有していて、ストラッププレート１０の溶接部までの長さが実質的に短くなっている場合には、溶接部に作用する剪断荷重が大きくなる傾向があるが、本実施形態のアンカーＡによれば、充分に溶接部が損傷しない程度まで剪断応力を低減させることができる。
【００３４】
なお、本実施形態においては、上部傾斜面１５ａ及び下部傾斜面１５ｂが形成されることによって、カバープレート１２のストラッププレート１０側の角部が面取りされた構成について説明した。
しかしながら、かじりの発生は、経験的にカバープレート１２の上端部で多く発生すことが分かっている。このため、例えば、図４に示すように、上部傾斜面１５ａのみを形成して、一部の角部のみを面取りする構成を採用しても良い。
また、例えば、図５に示すように、上部傾斜面１５ａに替えて、角部を切り取る上部曲面１６ａを形成することによってカバープレート１２の角部を面取りする構成を採用しても良い。
また、さらに図６に示すように、下部傾斜面１５ｂに替えて、角部を切り取る下部曲面１６ｂを形成することによってカバープレート１２の角部を面取りする構成を採用しても良い。
このような図４〜図６に示す構成であっても、上述の本実施形態のアンカーＡと同様に、カバープレート１２の角部がストラッププレート１０に食い込むことを防止することができる。
【００３５】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３６】
例えば、上記実施形態においては、本発明の貯留槽が、液化天然ガス（ＬＮＧ）を貯留するタンクの内槽Ｔｂである構成について説明した。
しかしながら、本発明はこれに限定されるものではなく、貯留槽が液化石油ガス（ＬＰＧ）や水等を貯留する構成を採用することも可能である。
【００３７】
また、上記実施形態においては、カバープレート１２が、傾斜面が形成されていない場合に内槽Ｔｂの周方向に延在する角部のみを有する構成について説明した。
しかしながら、本発明はこれに限定されるものではなく、カバープレートの形状を変化させ、様々な方向に延在する角部を備える構成を採用することもできる。
このような場合には、いずれかの角部を面取りすることによって、多少なりとも角部のストラッププレートへの食い込みを防止することができるが、効率的に食い込みを防止するためには、少なくとも内槽Ｔｂの周方向に延在する角部を面取りすることが好ましい。
【符号の説明】
【００３８】
Ａ……アンカー、Ｔ１，Ｔ２……タンク、Ｔａ……外槽、Ｔｂ……内槽（貯留槽）、１……スラブ、１ａ……アンカーボックス、２……保冷ブロック、３……セカンダリーバリア、１０……ストラッププレート、１１……ストッパプレート、１２……カバープレート、１３ａ，１３ｂ……ブラケット、１４ａ，１４ｂ……座板、１５ａ…上部傾斜面（傾斜面）、１５ｂ…下部傾斜面（傾斜面）、１６ａ…上部曲面（曲面）、１６ｂ…下部曲面（曲面）
【図１】
2011064312.tif 000003
【図２】
2011064312.tif 000004
【図３】
2011064312.tif 000005
【図４】
2011064312.tif 000006
【図５】
2011064312.tif 000007
【図６】
2011064312.tif 000008